(57)【要約】【課題】表裏同時にカードを保持できるカードホルダを得る。【解決手段】このカードホルダ１０は、屈曲可能なシート２０に複数の切目が切り込まれたカードホルダ１０であって、複数の切目に含まれる内切目３１及び外切目４１で形成される帯部３０と、外切目４１及びシート２０のシート面で形成されるポケット部４０と、を備えている。そして、帯部３０及びポケット部４０のいずれか一方を用いてカード５０を保持したときのカード外形を横切るように内切目３１及び外切目４１が形成され、シート２０の一の面に帯部３０及びポケット部４０のいずれか一方を用いてカード５０を保持できるとともに、シート２０の他の面に帯部３０及びポケット部４０のいずれか他方を用いてカード５０を保持できるようになっている。【選択図】図１
2013129143.tif 000002
【特許請求の範囲】
【請求項１】
屈曲可能なシートに複数の切目が切り込まれたカードホルダであって、
前記複数の切目に含まれる内切目及び外切目で形成される帯部と、
前記外切目及び前記シートのシート面で形成されるポケット部と、
を備え、
前記帯部及び前記ポケット部のいずれか一方を用いてカードを保持したときのカード外形を横切るように前記内切目及び前記外切目が形成され、
前記シートの一の面に前記帯部及び前記ポケット部のいずれか一方を用いてカードを保持できるとともに、前記シートの他の面に前記帯部及び前記ポケット部のいずれか他方を用いてカードを保持できることを特徴とするカードホルダ。
【請求項２】
請求項１に記載のカードホルダにおいて、
前記帯部を少なくとも２つ備えることを特徴とするカードホルダ。
【請求項３】
請求項１又は２に記載のカードホルダにおいて、
前記カードとは異なる形の異形カードの一部を挿入できるように形成された適応切目を少なくとも２箇所に備え、
前記帯部又は前記ポケット部、及び前記適応切目で該異形カードを保持できることを特徴とするカードホルダ。
【請求項４】
請求項１〜３のいずれか１項に記載のカードホルダにおいて、
前記内切目及び／又は前記外切目は、屈曲点を備えて形成されていることを特徴とするカードホルダ。
【請求項５】
請求項１〜４のいずれか１項に記載のカードホルダにおいて、
前記内切目は、前記カード外形の外側へ伸びるように形成され、
該内切目の伸び終わりの端点にカードの縁を当て、スライドさせることによって、該カードを嵌め込むことができることを特徴とするカードホルダ。
【請求項６】
請求項１〜５のいずれか１項に記載のカードホルダにおいて、
前記内切目及び／又は前記外切目は、伸び終わりの端点が前記カード外形に沿うように伸びて形成されていることを特徴とするカードホルダ。
【請求項７】
請求項１〜６のいずれか１項に記載のカードホルダにおいて、
前記カード外形からはみだし、かつ、前記シートを折り込めるように形成された折切目を少なくとも２箇所に備え、
該折切目によって形成される包囲部のいずれか一方を折り込むことで、前記シートの両面にてカードの一部を包囲できることを特徴とするカードホルダ。
【請求項８】
請求項１〜７のいずれか１項に記載のカードホルダにおいて、
前記切目の近傍が補強されていることを特徴とするカードホルダ。
【請求項９】
請求項１〜８のいずれか１項に記載のカードホルダにおいて、
前記シートにメモ欄を備えることを特徴とするカードホルダ。
【請求項１０】
請求項１〜９のいずれか１項に記載のカードホルダにおいて、
前記帯部及び前記ポケット部のいずれか一方を用いてカードを保持するときのカード保持動作を補助する補助シートがあらかじめ保持されていることを特徴とするカードホルダ。
【発明の詳細な説明】
【技術分野】
【０００１】
本発明は、名刺等のカード類を収納できるカードホルダに関するものである。
【背景技術】
【０００２】
従来から、名刺等のカード類を収納保持するための種々のカード収納保持手法が提案されている。例えば、下記特許文献１には、切目を設けることによってカードを着脱自在に収容する構成や、折り曲げ部を設けることによってカードを着脱自在に収容する構成が提案されている。
【先行技術文献】
【特許文献】
【０００３】
【特許文献１】特開２００９−６６７１６号公報
【発明の概要】
【発明が解決しようとする課題】
【０００４】
上掲した特許文献１に記載の切目を用いるカードホルダは、カードを着脱容易に保持するという目的を達成することができるという点において有効である。しかしながら、一方の面（例えば、表面）でカードを保持したときには、保持するときに用いた切目を利用して他方の面（例えば、裏面）でカードを保持することができないものであった。すなわち、表裏の両面でカード類を保持できる効率的なカードホルダは、従来は存在していなかった。
【０００５】
また、上掲した特許文献１に記載の発明においては、適応できるサイズを決めてしまうと、決定されたサイズのカードのみ保持可能な構造となってしまうものであった。一般に流通するカード類については、種々のサイズが規格化されており、１のカードホルダにおいて１の規格のカードのみ保持可能とすると、非常に使い勝手の悪いものとなる。したがって、種々のカードに対応できるカードホルダが求められていた。
【０００６】
本発明は、上述した従来技術に存在する様々な問題点を鑑みて成されたものであって、その目的は、カードを着脱するのに容易なカードホルダであって、表裏両面においてカードを保持でき、さらに、様々なサイズのカード類に対応可能な従来にはない全く新しいカードホルダを提供することにある。
【課題を解決するための手段】
【０００７】
本発明に係るカードホルダは、屈曲可能なシートに複数の切目が切り込まれたカードホルダであって、前記複数の切目に含まれる内切目及び外切目で形成される帯部と、前記外切目及び前記シートのシート面で形成されるポケット部と、を備え、前記帯部及び前記ポケット部のいずれか一方を用いてカードを保持したときのカード外形を横切るように前記内切目及び前記外切目が形成され、前記シートの一の面に前記帯部及び前記ポケット部のいずれか一方を用いてカードを保持できるとともに、前記シートの他の面に前記帯部及び前記ポケット部のいずれか他方を用いてカードを保持できることを特徴とするものである。
【０００８】
本発明に係るカードホルダは、前記帯部を少なくとも２つ備えることとすることができる。
【０００９】
また、本発明に係るカードホルダは、前記カードとは異なる形の異形カードの一部を挿入できるように形成された適応切目を少なくとも２箇所に備え、前記帯部又は前記ポケット部、及び前記適応切目で該異形カードを保持できることとすることができる。
【００１０】
さらに、本発明に係るカードホルダにおいて、前記内切目及び／又は前記外切目は、屈曲点を備えて形成されていることとすることができる。
【００１１】
またさらに、本発明に係るカードホルダにおいて、前記内切目は、前記カード外形の外側へ伸びるように形成され、該内切目の伸び終わりの端点にカードの縁を当て、スライドさせることによって、該カードを嵌め込むようにすることができる。
【００１２】
さらにまた、本発明に係るカードホルダにおいて、前記内切目及び／又は前記外切目は、伸び終わりの端点が前記カード外形に沿うように伸びて形成されていることとすることができる。
【００１３】
また、本発明に係るカードホルダは、前記カード外形からはみだし、かつ、前記シートを折り込めるように形成された折切目を少なくとも２箇所に備え、該折切目によって形成される包囲部のいずれか一方を折り込むことで、前記シートの両面にてカードの一部を包囲できるようにすることができる。
【００１４】
さらに、本発明に係るカードホルダは、前記切目の近傍が補強されていることとすることができる。
【００１５】
またさらに、本発明に係るカードホルダは、前記シートにメモ欄を備えることとすることができる。
【００１６】
さらにまた、本発明に係るカードホルダでは、前記帯部及び前記ポケット部のいずれか一方を用いてカードを保持するときのカード保持動作を補助する補助シートが、あらかじめ保持されていることとすることができる。
【発明の効果】
【００１７】
本発明によれば、カードを着脱するのに容易であって、低コスト及び低労力で、表裏同時にカードを保持できるカードホルダを提供することができる。なお、本発明に係るカードホルダは、表裏同時にカードを保持でき、カード類の収容効率が非常に高いという特性を有している。この特性は、シートに対して切目を入れるという構成から導かれるため、少ない素材で多くのカード類を収容できることを示しており、コスト面や省資源化の面で優れている。
【００１８】
また、本発明によれば、様々なサイズのカード類に対応可能なカードホルダを提供することができる。
【００１９】
さらに、本発明に係るカードホルダでは、見開き１ページにメモ欄とカード保持部を並べて配置することによって、１ページで個人の情報を把握することができるとともに、裏面においても略同位置にてメモ欄と名刺保持部を配置することができるようになっている。すなわち、一定の位置に一定の情報が配置されるように構成されていることから、見た目が整っており、情報が把握し易いという効果を奏する。
【図面の簡単な説明】
【００２０】
【図１】本実施形態に係るカードホルダを示した外観図である。
【図２】本実施形態に係るカードホルダの一方の面にカードを嵌めた状態を示す外観図である。
【図３】本実施形態に係るカードホルダにカードを嵌めた状態であって、カードを嵌めていない他方の面を示した外観図である。
【図４】本実施形態に係るカードホルダの両面にカードを嵌めた図であって、カードの側面から開いた参考展開図である。
【図５】メモ欄を備えた本実施形態に係るカードホルダの外観図である。
【図６】帯部を１つのみ備える本実施形態に係るカードホルダの一方の面にカードを嵌めた状態を示す外観図である。
【図７】帯部を１つのみ備える本実施形態に係るカードホルダの他方の面にカードを嵌めた状態を示す外観図である。
【図８】縁切目を備える本実施形態に係るカードホルダの外観図である。
【図９】縁切目の変形例を示す本実施形態に係るカードホルダの外観図である。
【図１０】ポケット部を用いたカードの嵌め方の例を示す概略図である。
【図１１】カードの嵌め方の例を説明するための概略図である。
【図１２】カードの嵌め方の例を説明するための概略図である。
【図１３】カードの嵌め方の例を説明するための概略図である。
【図１４】多様なサイズに適応できる本実施形態に係るカードホルダの外観図である。
【図１５】多様なサイズに適応できる本実施形態に係るカードホルダの一方の面にカードを嵌めた状態を示す外観図である。
【図１６】多様なサイズに適応できる本実施形態に係るカードホルダの他方の面にカードを嵌めた状態を示す外観図である。
【図１７】カードをスライドさせて嵌め込むことができる本実施形態に係る別のカードホルダの外観図である。
【図１８】カードをスライドさせて嵌め込むことができる本実施形態に係る別のカードホルダの外観図である。
【図１９】カードをスライドさせて嵌め込むことができる本実施形態に係るカードホルダの使用時におけるカードの嵌め方を示す参考図である。
【図２０】折切目を備える本実施形態に係るカードホルダの外観図である。
【図２１】折切目を備える本実施形態に係るカードホルダにカードを嵌めた状態を示す外観図である。
【図２２】折切目を備える本実施形態に係るカードホルダの使用時におけるカードの嵌め方を示す参考図である。
【図２３】あらかじめ補助シートを保持させた状態の本実施形態に係るカードホルダを例示する図である。
【発明を実施するための形態】
【００２１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２２】
図１は、本実施形態に係るカードホルダを示した外観図である。
【００２３】
本実施形態に係るカードホルダ１０は、シート２０と、このシート２０に切り込まれて形成された内切目３１と外切目４１からなる。また、内切目３１及び外切目４１によって形成される帯状の部分を帯部３０として備える。さらに、シート２０のシート面及び外切目４１によって形成されるポケット状の部分をポケット部４０として備える。
【００２４】
本実施形態に係るシート２０（２０α，２０β）は、切目を入れるベースとなるものである。どちらが表でも裏でも構わないが、本実施形態では、表としている面をシート２０α、裏としている面をシート２０βとする。
【００２５】
シート２０の素材は、切目を入れることができる程度の厚さを備え、かつ、屈曲可能な素材であることが好ましい。コスト面や切目の形成し易さなどの観点を踏まえ、本実施形態では、紙を用いている。なお、その他の例としては、プラスチックシートなども適している。また、着脱を繰り返すことによる負担にも耐えられる素材であればなお好適である。
【００２６】
シート２０は、最も一般的な名刺サイズの普通型４号（５５ｍｍ×９１ｍｍ）が余裕をもって収まる程度のサイズであることが好ましい。すなわち、Ａ４サイズやポスターのようなサイズでも構わない。例えば、図５にて示すように通常の手帳サイズを用いれば、領域分けしてカードを保持する部分及びメモ欄６０を備えるカードホルダ１０を構成することが好ましい。そしてこのように構成されたカードホルダ１０を複数枚重ね、ファイリングすることによって、見開き１ページにメモ機能とカード保持機能を備えた手帳とするとなお好適である。
【００２７】
さらに、異なる領域分けの方法で構成したカードホルダ１０を交互に複数枚重ねてファイリングし、手帳とすればさらに好ましい。例えば、シートの上半分にメモ欄６０を備えるカードホルダ１０と、下半分にメモ欄を備えるカードホルダ１０とを２種類用意し、この２種類のカードホルダ１０を交互に重ねればよい。このようにして作成された手帳であれば、カードが保持されている厚みを持った部分だけが次々と重なっていくのではなく、カードが保持されている厚みを持った部分とメモ欄の部分が交互に重なっていくので、手帳内でのカードの偏りがなく、手帳全体として綺麗にカードや情報を並べることができる。
【００２８】
本実施形態に係る帯部３０（３０ａ，３０ｂ，３０ｃ,３０ｄ）はそれぞれ、内切目３１（３１ａ，３１ｂ，３１ｃ,３１ｄ）及び外切目４１（４１ａ，４１ｂ，４１ｃ,４１ｄ）によって形成される帯状の部分である。屈曲可能な素材を用いているので、帯部３０はシート２０α側にもシート２０β側にも撓むことができ、カード５０を容易に正しい保持位置にセットすることに貢献する構造となっている。
【００２９】
また、帯部３０の必要数としては、カード５０を嵌めるときの安定感、及びカードを嵌めるときの手間を考慮すると、２つ乃至４つの帯部３０を備えていることが好適である。なお、少なくとも１つの帯部３０を備えていれば、例えば、図６、図７に示すように、シート２０αでは帯部３０ｅを用いてカード５０αを保持し、シート２０βではポケット部４０ｅを用いてカード５０βを保持することができる。この際、シート２０が透明な素材でできていない場合には、カードの大部分を隠してしまい、あまり有効なカード表示が行えない。したがって、カード保持及びカード表示のバランスを考慮すると、帯部３０は２箇所以上備わっていることが好ましい。
【００３０】
また、本実施形態のように、それぞれの帯部３０（３０ａ，３０ｂ，３０ｃ，３０ｄ）は、カード５０の４隅に対応した位置にそれぞれ備える構成としていることが好適である。かかる形態であれば、どの方向から力が加わってもしっかりと保持されることとなる。なお、帯部３０については、必ずしもカード５０の隅に対応した位置に備える必要はなく、例えば図５に示すように、カード５０の側面中央の位置に対して帯部３０ｆ等を備える構成としてもよい。
【００３１】
ここで、本実施形態に係る内切目３１は、帯部３０を形成するように備えた２本の切目のうち、カード５０を保持したときのカード５０の中心に近い方の切目である。
【００３２】
また、本実施形態に係る外切目４１は、帯部３０を形成するように備えた２本の切目のうち、カード５０を保持したときのカード５０の中心から遠い方の切目である。
【００３３】
そして、内切目３１及び外切目４１は、内切目３１と外切目４１でカード５０を保持したときのカード５０の外形を横切るように形成されるとともに、さらに、カード５０を保持したときに、カード５０の外形から少しはみ出した位置まで切目が形成されていると好適である。具体的には、カード５０の外形から２〜５ｍｍ程度はみ出して形成されると好適である。さらに言えば、外切目４１の切目の両端の端点が、内切目３１の両端点よりもカード５０の外形寄りに位置するとなお好適である。これにより、シート２０α及びシート２０βにおけるいずれの面においても、外切目４１の両端点が、カード５０α及びカードβを挿入していくときの行き止まりとして作用することになる。すなわち、シート２０α及びシート２０βにおけるいずれの面においても、略同じ位置にカード５０α及びカード５０βを保持することが可能となる。
【００３４】
また、内切目３１及び外切目４１は１本の線である必要があるが、直線である必要はない。すなわち、例えば図５に示すように、円弧状の切目となるように曲線形状として内切目３１ｆ及び外切目４１ｆが形成されていてもよい。さらに言えば、キャラクターなどの美観を起こさせるものを表現するような切目が形成されていても構わない。デザイン性を高めれば、購買意欲が向上するという効果を奏する。
【００３５】
本実施形態に係るポケット部４０は、シート２０と外切目４１によって形成されるポケット状の部分である。なお、上述のように、帯部３０を形成するためには外側切目４１を必要とするので、帯部３０を形成すると必然的に帯部３０と隣接するようにポケット部４０が形成されることとなる。
【００３６】
カード５０は、上記構成からなる本実施形態のカードホルダ１０の使用者によって嵌め込まれ、カードホルダ１０に保持される。カード５０については、シート２０α側で保持されるカード５０をカード５０α、シート２０β側に保持されるカード５０をカード５０βとする。カード５０のサイズや形は特に限定しておらず、ポストカードであったりポイントカードであったりと、挟み込める厚みのものであればよい。本実施形態では、最も一般的な名刺サイズである普通型４号（５５ｍｍ×９１ｍｍ）を例示して説明している。なお、カード５０のサイズについては、名刺サイズ以外にも多様な規格が存在するので、各種サイズに合わせた構造を採用すればよい。また、カード５０の形状については、長方形のカードに限るわけではなく、円形のカード、特殊な形をしたカードであってもよい。
【００３７】
次に、本実施形態に係るカードホルダ１０に対してカード５０α及びカード５０βを保持させる動作について、図２〜図４を参照しながら説明する。
【００３８】
図２は、カード５０αを保持したときのカードホルダ１０の正面図である。また、図３は、カード５０αを保持したときのカードホルダ１０の背面図である。また、図４は、カード５０α及びカード５０βを保持したときのカードホルダ１０を示す参考図で、カードホルダ１０を側面から開いた参考展開図である。
【００３９】
まず、カードホルダ１０にカード５０を保持させるための基本的な２種類のカード保持動作を詳説する。当該２種類のカード保持動作とは、カードの一部を「帯部３０に挟む」動作、及びカードの一部を「ポケット部４０に嵌め込む」動作である。
【００４０】
「帯部３０に挟む」動作とは、シート２０α（β）側からカード５０α（β）を内切目３１に挿入し、挿入されている部分をさらにシート２０β（α）側から外切目４１に挿入する動作である。このように挟むことによって、帯部３０はカード５０の保持部として作用する。なお、「帯部３０に挟む」動作において、内切目３１に挿入するだけでなく裏側から外切目４１に挿入する理由は、これを怠ると、裏面で「ポケット部４０に嵌め込む」動作を実現しようとするときに、外切目４１が埋まってしまうことから、不都合が生じるからである。よって、カード５０を嵌め込む動作において、カード５０は裏側から外切目４１に対して挿入することを要する。
【００４１】
一方で、「ポケット部４０に嵌め込む」動作とは、シート２０α（β）側から外切目４１にカード５０α（β）を挿入する動作である。このように嵌め込むことによって、ポケット部４０はカード５０の保持部として作用する。
【００４２】
実際には、上述したカード５０を切目に対して挿入するという動作を厳密に行わなくても、上記２種類の動作を実現することが可能である。なぜならば、シート２０が屈曲可能な素材であることを利用して、帯部３０を上下へ撓ませ、口を開けるようにすると隙間ができ、その様にしてできた隙間にカード５０を通すことによって、結果的に前述した動作と同様の動作を得ることができるからである。
【００４３】
次に、上述した２種類の動作を、図２を参照しながら詳しく説明する。本実施形態では、図２に示すように、カード５０αの左下隅を帯部３０ａに、左上隅を帯部３０ｄに挟み、右下隅をポケット部４０ｂに、右上隅をポケットに部４０ｃに嵌め込むことによって、カード５０αを保持している。なお、以下の説明では、帯部３０ａ及び帯部３０ｄの作用は同じであるので、帯部３０ｄについての説明は省略する。また、ポケットに部４０ｂ及びポケット部４０ｃの作用は同じであるので、ポケット部４０ｃについての説明も省略する。
【００４４】
シート２０α側では、図２に示すように、シート２０α側からカード５０αを内切目３１ａに挿入し、挿入されている部分をさらにシート２０β側から外切目４１ａに挿入することによって、カード５０αを帯部３０ａに挟む動作を実現し、帯部３０ａはカード５０αの保持部として作用する。そして、シート２０α側から外切目４１ｂにカード５０αを挿入することによって、カード５０αをポケット部４０ｂに嵌め込む動作を実現し、ポケット部４０ｂはカード５０αの保持部として作用する。
【００４５】
上記のようにカード５０αを保持させたカードホルダ１０を背面から見た図が、図３である。図３に示すように、シート２０α側でカード５０αを保持したときに、シート２０β側では、利用できる切目が制限される。例えば、シート２０β側からは、内切目３１ａ及び外切目４１ｂには挿入できないこととなる。
【００４６】
しかしながら、内切目３１ｂ及び外切目４１ａは利用可能である。そこで、シート２０β側では、シート２０β側からカード５０βを内切目３１ｂに挿入し、挿入されている部分をさらにシート２０α側から外切目４１ｂに挿入することによって、帯部３０ｂに挟む動作を実現し、帯部３０ｂはカード５０βの保持部として作用することができる。そして、シート２０β側から外切目４１ａにカード５０βを挿入することによって、カード５０βをポケット部４０ａに嵌め込む動作を実現し、ポケット部４０ａはカード５０βの保持部として作用することができる。
【００４７】
すなわち、本実施形態に係るカードホルダ１０は、「帯部３０に挟む」動作をした位置の裏側では、ポケット部４０がフリーとなるので、「ポケット部４０に嵌め込む」動作によって保持動作を実現でき、この逆も同様に、「ポケット部４０に嵌め込む」動作をした位置の裏側では、帯部３０がフリーとなるので、「帯部３０に挟む」動作が実現できるカードホルダとなる。
【００４８】
以上、本実施形態に係るカードホルダ１０は、内切目３１及び外切目４１で形成される帯部３０と、シート２０のシート面と外切目４１で形成されるポケット部４０とを備えることで、一方の面で帯部３０を用いてカード５０（５０α）を保持するとともに、他方の面ではポケット部４０を用いて別のカード５０（５０β）を保持することができ、さらに、その逆の嵌め込み状態であっても同様のカードホルダ１０となることを説明した。
【００４９】
なお、上述した本実施形態では、シート２０α側及びシート２０β側で、帯部３０とポケット部４０を２箇所ずつ用いてカード５０を保持する形態が採られている。しかしながら、カードホルダ１０は、シートの両面に帯部３０及びポケット部４０が４箇所ずつ備えられている構成をしており、かつ、帯部３０を用いて保持した面の裏の面ではポケット部４０を用いることによって保持動作を実現できる構成となっている。このことから、カードホルダ１０の使用者がカード５０を嵌め込むときに帯部３０又はポケット部４０を自由に選択できるように構成されていることも、本実施形態に係るカードホルダ１０の特性である。すなわち、帯部３０とポケット部４０については、必ずしもバランスよく２箇所ずつ用いる必要はなく、例えば、帯部３０をシート２０の片面で４箇所用いてもよい。このときのシート２０の他方の面では、ポケット部４０を４箇所用いればよい。
【００５０】
本実施形態に係るカードホルダ１０は、以上の構成を有しているので、シートの表及び裏に別々のカードを略同じ位置に保持することができ、見た目としてきれいであり、製作容易で、低コストで製造可能なカードホルダを提供することができている。
【００５１】
以上、本実施形態に係るカードホルダ１０の基本的な構成及び使用方法についての説明を行った。なお、図１〜図７を参照して説明した本実施形態に係るカードホルダ１０の構成は、本発明の基本的な要点のみを解説したに過ぎない。すなわち、本発明に係るカードホルダの技術的範囲は、上記実施形態に記載の範囲に限定されるものではなく、上述した本実施形態には、特許請求の範囲の記載の範囲内において、多様な変更又は改良を加えることが可能である。そこで、以下に、本実施形態に係るカードホルダ１０の変形例を図面を参照しながら説明する。
【００５２】
本例に係るカードホルダ１０にカード５０を保持するときには、帯部３０に挟むという動作、およびポケット部４０にカード５０を嵌め込むという動作の２つの動作を必要とする。基本的に、どちらの動作を先に実施するかについては、カードホルダ１０を利用する者が自由に決めればよい。一方の動作を先に行うと、他方の動作に用いる帯部３０又はポケット部４０は、保持しているカード５０に隠れることとなる。したがって、「帯部３０に挟む」動作および「ポケット部４０に嵌め込む」動作のいずれかは、カード５０の屈曲性や柔軟性等に応じて適宜選択すればよい。
【００５３】
ここで、カード５０を先に帯部３０に挟むべきか、それとも、先にポケット部に嵌め込むべきかについての選択方法を考えると、本例におけるカードホルダ１０の構成からすれば、帯部３０よりもポケット部４０の方が外側にあるので、後の動作で用いる部分がポケット部４０となっている方が、例えばカード５０を曲げるときの曲げ量が小さくて済むので、嵌め込み易くなると考えられる。よって、先に帯部３０にカードを挟んでおいて、その後に、ポケット部４０に嵌め込む嵌め動作を行う方が、カード５０を容易に嵌め込むことができるであろう。カード５０を容易に嵌め込むことができれば、カード５０を屈曲させることによるカードの折れ曲りなどといった不都合の発生の可能性が低くなる。
【００５４】
ただし、ポケット部４０に嵌め込むときであっても、単に内切目３１と外切目４１のみが形成されている場合には、カード５０の嵌め込み時に少なからずカード５０を屈曲させる必要が出てくる。また、ポケット部４０に嵌めるときに必要となる柔軟さを備えていない硬いカード５０の場合には、カード５０の嵌め込みが容易に実施できなくなる可能性も考えられる。したがって、どのような性質のカード５０であっても、ポケット部４０に対して容易に嵌め込み動作が実現できる構成を、本例に係るカードホルダ１０が有していれば、非常に好ましい。
【００５５】
［縁切目］
そこで例えば、図８にて示すように、伸び終わりの端点がカード５０を保持したときのカード５０の外形に沿うように伸びる縁切目８１を含む内切目３１及び／又は外切目４１とすると好ましい。このようなカード５０の外形に沿って伸びる切目形状については、カードホルダ１０に備わる内切目３１及び／又は外切目４１のすべてに対して備えられていてもよいし、一部に対してであってもよい。カード外形に沿って切目が形成されていると、可動域の広がりによって帯部３０及びポケット部４０の動きがより柔軟になるので、カード５０を嵌め込み易くなるという効果を得られる。
【００５６】
すなわち、縁切目８１を備えることにより可動域が広がることを利用すれば、カード５０を帯部３０に挟んだ状態であっても、カード５０を容易に「ポケット部４０に嵌め込む」ことが可能となる。そこで、かかる動作について、図１０〜図１２を参照しながら具体的に説明する。なお、図１０は、ポケット部を用いたカードの嵌め方を示す概略図であり、図１１は、カードが柔らかいときにおけるポケット部へのカードの嵌め込み方を説明するための図である。また、図１２は、カードが硬いときにおけるポケット部へのカードの嵌め込み方を説明するための図である。
【００５７】
上述のように、カード５０の素材が十分に柔らかいときにはカード５０を屈曲させることが可能であり、屈曲性を生かしてポケット部４０を形成する外切目４１の隙間にカード５０の角を差し入れることができるので、縁切目８１を備えることの効果は小さい。ただし、カード５０を屈曲させて外切目４１の隙間にカード５０の差し入れる入れ方とは異なる嵌め動作が実現可能となる点で効果がある。
【００５８】
例えば、カード５０の素材が柔らかいときにおける別の嵌め込み方法としては、この場合もカード５０の屈曲性を活かして、カード５０を少し曲げてポケット部４０に押し当てる。すると、図１０（ａ）、（ｂ）にて示すように、ポケット部４０の面が垂直方向下側へ押し込まれることとなる。この状態からさらにカード５０の角を押し込むようにポケット部４０に押し当てていくと、縁切目８１が作用することでシート面に対するポケット部４０の大きな移動が可能であるため、図１０（ｃ）にて示すように、ポケット部４０の上面とカード５０の側面との接していた部分が離れる。そしてさらに、図１０（ｄ）にて示すように、ポケット部４０は元の位置に戻ることとなる。このように、縁切目８１が形成されたことで、ポケット部４０の箇所がシート面に対して大きく移動することができるので、非常に容易にポケット部４０に対してカード５０を挟み込ませることが可能となる。なお、図１１にて示すように、カード５０を屈曲させてポケット部４０に押し当てるとともに、ポケット部４０に対してシート２０の裏側からシート２０を持ち上げるように力を加えれば、ポケット部４０の元の位置に戻ろうとする力が増すことから、より容易にカード５０を挟み込むことが可能となる。
【００５９】
またこれに対しカード５０の素材が硬く、素材が柔らかいときのような屈曲性を活かした嵌め動作を実現できない場合が考えられる。しかしながら、このときにも縁切目８１が有意な作用効果を発揮する。
【００６０】
例えば、カード５０の硬さを利用して、シート２０を裏側から持ち上げると容易に嵌め込むことができる。すなわち、図１２にて示すように、カード５０の角をポケット部４０の上に乗せて押さえつけておき、シート２０を裏側から持ち上げるように力を加えると、縁切目８１の作用によってポケット部４０の上面とカード５０の側面が接触状態から解放されて一旦離れ、さらに、縁切目８１を備えることにより可動域が広がったポケット部４０が、カード５０を挟み込む位置に移動することとなる。つまり、縁切目８１の作用によって、シート２０側をカード５０に対して持ち上げるだけで、ポケット部４０がカード５０の裏面側から表面側にスムーズに移動し、非常に容易にポケット部４０に対してカード５０を挟め込ませることが可能となる。
【００６１】
以上のように、縁切目８１を備えることで、カード５０の素材如何にかかわらず、カード５０を「ポケット部４０に嵌め込む」動作が容易なカードホルダ１０が実現できる。
【００６２】
また特に、カード５０の外形から０．５ｍｍ〜１ｍｍ程度離した位置に、この縁切目８１が形成されると好ましい。すなわち、縁切目８１を含む外切目４１で形成されるポケット部４０にカードを嵌め込むときに、カード５０の外形から０．５ｍｍ〜１ｍｍ程度離れた縁切目８１が作用するので、嵌め込むための隙間を容易に作ることができることとなり、非常に効果的にカード５０を収納させることが可能となる。なお、本発明に係る縁切目については、カード５０の外形から０．５ｍｍ〜１ｍｍ程度離した位置に形成されることに限定する必要はない。例えば、シートやカードの堅さや屈曲性、形状や大きさ等に応じて、任意の位置に縁切目８１を形成することが可能である。
【００６３】
また、縁切目８１を含む内切目３１及び／又は外切目４１の形状については、一本道で形成されている必要はない。例えば、図８、図９の外切目に示すように、伸び終わりの端点が枝分かれするように形成されていてもよいし、さらに、図９の紙面右下に示すように、切目（ここでは、外切目４１ｂの箇所のみに例示がされている）に対してクロスするように切目が加えられていてもよい。なぜなら、カード５０の外形に沿った切目については、特に厳密さを必要としなくとも、帯部３０及びポケット部４０の可動域が広がるという効果を発揮できるからである。ただし、これらの切目については、他の切目と内切目３１及び外切目４１が接続しないように、注意して形成することが必要である。
【００６４】
［屈曲点］
例えば、本実施形態に係る内切目３１及び外切目４１は、図８にて示すように、カード外形を横切るときに屈曲点８２を備えることとすると好ましい。さらに言えば、カードを保持したときの中心に向かって凸形状となるように屈曲していると、なお好適である。屈曲点８２を備えると、凸形状の部分を用いて帯部３０を容易にめくり上げることができるようになり、帯部３０に対してカード５０を容易に嵌め込むことができることとなる。
【００６５】
屈曲点８２を備えることにより、シート２０の表面に対して帯部３０を容易にめくり上げることができることから、容易にカード５０を嵌め込むことができるようになる。またこのとき、内切目３１及び外切目４１が、屈曲点８２に加えて縁切目８１をさらに備えていると、より容易に「帯部３０に挟む」動作が実現できる。上述した縁切目８１を含む内切目３１及び外切目４１を備え、かつ、屈曲点８２を備えるカードホルダ１０としたときに、上述の「帯部３０に挟む」動作が容易に行える点について、図１３を参照しながら説明する。
【００６６】
まず、帯部３０の手前部分（シート２０における内切目３１の内部側）をカード５０で押すと、縁切目８１と屈曲点８２を備える内切目３１との作用によって、帯部３０の手前部分が沈むこととなる。これによって、沈んだ手前部分と帯部３０の高低差を利用して、内切目３１の下にカード５０を容易に潜らせることができる。なお、裏側から少しシート２０を持ち上げると、より手前部分の沈み込みが深くなり、カード５０を潜り込ませ易くなる。次に、帯部３０の下にカード５０を進ませていく途中で、カード５０に対して帯部３０を持ち上げる方向に力を加える。すると、縁切目８１の作用によって、帯部３０が少し持ち上がることとなる。帯部３０が持ち上がることによって、帯部３０とポケット部４０との間に高低差が生じることとなり、その高低差を利用して、ポケット部４０の上にカード５０が位置するようにカード５０を挿入することができる。
【００６７】
以上のように、縁切目８１を含む内切目３１及び外切目４１とすれば、上述のように「帯部３０」に容易に嵌め込むことのできる構成となる。
【００６８】
また、以上のように「帯部３０に挟む」動作が容易に実現できる構成例とすると、そのカードホルダ１０の構成は、屈曲点８２だけでなく縁切目８１も同時に備えている構成となる。すなわち、上記で説明した「ポケット部４０に嵌め込む」動作を容易に実現できるカードホルダとなる。よって、縁切目８１と屈曲点８２を備えるカードホルダ１０は、非常にカードを嵌め込み易い構成例となる。
【００６９】
［適応切目］
例えば、上述した本実施形態に係るカードホルダ１０では、帯部３０又はポケット部４０でカード５０を保持するので、帯部３０の幅又はポケット部４０の大きさ如何では、ある程度の範囲のサイズのカードに対応できるものである。しかしながら、帯部３０の幅を広く形成又はポケット部４０を大きく形成すると、シートが透明な素材である場合を除き、カードに記載されている内容情報を覆うように帯部３０及びポケット部４０が形成されることとなってしまうので、帯部３０の幅を広く形成又はポケット部４０を大きく形成することによって種々の形状のカードに対応することは、賢明とはいえない。そこで、様々なカードに対応できるように、適応切目７１を備えることが好ましい（図１４参照）。
【００７０】
適応切目７１は、カード５０を保持するための帯部３０又はポケット部４０に、異形カード５１の一部を嵌め込んだときに、さらに異形カード５１の他の一部を挿入できるように形成されるものである。なお、異形カード５１，５２は、カード５０とはサイズや形の異なるカードである。本実施形態では、カード５０が日本の名刺サイズの規格である５５ｍｍ×９１ｍｍのサイズとしているのに対して、異形カード５１は、欧米の名刺サイズの規格である５１ｍｍ×８９ｍｍを、異形カード５２は、ショップカードの定番の規格である５４ｍｍ×８４を用いるものとする。すなわち、カード５０、異形カード５１、異形カード５２の順に小さいサイズとなっているものとする。なお、本実施形態では、カード５０よりも小さいサイズのカードを嵌め込めるように適応切目７１を備えているが、カード５０よりも大きいサイズのカードを嵌め込めるように適応切目７１を備えてもよい。
【００７１】
まず、適応切目７１を利用したカードホルダ１０における最もシンプルな構成は、図１４で示される構成のうち、１組の帯部３０ａとポケット部４０ａ、２本の適応切目７１ｃ１，７１ｄ１からなる。シート２０α側で、異形カード５１を左下隅の帯部３０ａで挟み、右上隅で適応切目７１ｃ１に嵌め込むことによって、異形カード５１を保持することができる。さらに、シート２０β側で、シート２０α側と同じサイズの異形カード５１を右下隅のポケット部４０ａに嵌め込み、右上隅の適応切目７１ｄ１に嵌め込むことによって、異形カード５１を保持する。これによって、適応可能なサイズの幅を増やすことができる。
【００７２】
さらに、上記の実施例では、異形カード５１と異なる異形カード５２に対応できるように、さらに適応切目７１を増やしたカードホルダ１０とすることも可能である。例えば、図１４にて示すように、適応切目７１ｃ１，７１ｃ２，７１ｄ１，７１ｄ２を備えればよい。このように適応切目７１を備えると、図１５にて示すように、シート２０α側では異形カード５１を左下隅の帯部３０ａで挟み、右上隅では適応切目７１ｃ１に嵌め込むことによって、異形カード５１を保持できる。さらに、図１６に示すように、シート２０β側ではシート２０α側と異なるサイズの異形カード５２を右下隅のポケット部４０ａに嵌め込み、右上隅では適応切目７１ｄ２に嵌め込むことによって、異形カード５２を保持できる。これによって、１のカードホルダで種々のサイズに対応できることとなる。なお、適応切目７１の形成される位置については、シート２０のどの様な位置に形成されていてもよく、例えば、帯部３０の内部に対して形成されていてもよいし、内切目３１の内側に対して形成されていてもよいし、外切目４１の外側に対して形成されていてもよい。
【００７３】
［スライド嵌め込み］
また例えば、内切目３１の端点８３が、カード５０を保持したときのカード５０の外形の外側からはみ出るように形成されている構成とすると好ましい。カード５０を保持したときのカード５０の外形の外側からはみ出るように端点８３を備えて形成される内切目３１は、図１７にて示すように直線的に形成されていてもよいし、図１８にて示すように屈曲するように形成されていてもよい。さらに言えば、このように形成されている内切目３１を少なくとも２箇所以上備えていると、シート２０α側及びシート２０β側の両面においてスライドさせながら嵌め込む動作を実現できるので、なお好適である。さらに、外切目４１の両端を結んだ延長線よりも内側に内切目３１の端点８３が形成されているとより好適である。
【００７４】
例えば、図１８にて示されるカードホルダ１０では、端点８３ａ，８３ｂ，８３ｃ，８３ｄが、このカードホルダ１０にカード５０を保持したときのカード５０の外形からはみ出るように形成されている。なお、端点８３がどの程度の長さではみ出しているかについては特に問題とはならないが、図１８にて示されるカードホルダ１０では、端点８３は１０ｍｍ程度はみ出すように形成されている。そして、図１９にて示すように、シート２０α側では、カード５０αを嵌め込むときに、端点８３ａに対してカード５０αの正面から見て左下隅の縁を当てて嵌め込む。さらに、カード５０αの縁を端点８３ａに当てたまま、カード５０αを外切目４１ａへ向かってスライドさせる。これによって、カード５０αが帯部３０ａの下側を滑っていき、最後に外切目４１ａの切目の両端で止まる。つまり、図１８にて示されるカードホルダ１０は、カード５０αが帯部３０ａに挟まれる動作を容易に実現できる構造となっている。
【００７５】
また、シート２０β側でも、シート２０α側で用いなかった任意の端点８３ｂ，８３ｃ，８３ｄを用いて同様の動作を行えば、シート２０β側でもカード（５０β）をスライドさせて嵌め込むことができる。なお、カード５０をスライドさせて嵌め込むためにはみ出した端点８３については、図１７及び図１８にて示すように、左右上下対称の位置に端点８３ａ，８３ｂ，８３ｃ，８３ｄを形成する必要はなく、上述したものと同様の作用効果を発揮できる範囲において、変形形態を採用することが可能である。
【００７６】
なお、カードのうち、特に名刺に関しては、肩書や役職などといった相手を知る上で重要な情報が、名刺を正面から見た場合の左上部分及び右下部分に記載されていることが多いので、図１９にて示す端点８３ａ，８３ｃのように、名刺を正面から見た場合の左上部分及び右下部分に帯部３０が架からない端点８３を用いてカード５０を嵌め込むことが好ましい。図１７〜図１９に示すようなカードホルダ１０であれば、カード５０をスライドさせながら嵌め込むことができ、さらに、嵌め込みを完了した状態でも必要性の高い情報を容易に取得でき、情報を取得するためにカード５０を着脱する必要がないので、非常に使い勝手のよいカードホルダ１０が実現されている。ただし、図１８で示したカードホルダ１０については、図１９にて示すように、反時計回りにカード５０をスライドさせて嵌め込む使用方法に限定されるものではない。図１９にて示す端点８３ｂ，８３ｄを用いることで、カード５０を時計回りにスライドさせ、カード５０を嵌め込む使用方法を採用することも、もちろん可能である。
【００７７】
［折切目］
また例えば、本発明に係るカードホルダは、図２０及び図２１にて示すように、カード５０を保持したときのカード５０の外形の外側にはみ出るように形成されるとともに、折込可能な包囲部を形成する折切目９１を備える構成を採用することができる。このような構成であれば、図２２（ａ）〜（ｅ）にて示すようにカードを嵌めることができ、より安定したカード保持が可能なカードホルダ１０を提供できる。
【００７８】
すなわち、折切目９１を備えるカードホルダ１０の使用方法は、まず、シート２０α側で、カード５０αを左下隅の帯部３０ａで挟み、右下隅のポケット部４０ｂに嵌め込むことによってカード５０αを保持する。ここまでは、上述した嵌め込み方法と同じである。ここから、折切目９１ｃを入れることによって折り込むことが可能となった包囲部９０ｃで、カード５０αを包囲するようにカード５０αを嵌め込む（図２２（ｂ））。包囲部９０ｃのうち、カード５０αと重なっている部分は織り込むことができないが、カード５０αと重なっていない部分、すなわち、はみ出し部分９０ｃ１については、シート２０β側に折り込むことが可能であるので、包囲部９０ｃのうち、はみ出し部分９０ｃ１をシート２０β側に折り込む（図２２（ｃ）、図２２（ｄ））。さらに、シート２０β側へ折り込んだはみ出し部分９０ｃ１は、シート２０とカード５０βとで挟み込むように、シート２０β側にカード５０βを重ねる（図２２（ｅ））。このように包囲部９０を用いることによって、シート２０β側に折り込んだはみ出し部分９０ｃ１はシート２０とカード５０βとでロックされることになるので、シート２０α側のカード５０αと重なった部分も同時にロックされるこことなる。よって、このカードホルダ１０では、シート２０とカード５０βと折切目９１とが協働してカード５０αの角をがっちりと包囲することになるので、より安定的な保持が可能となる。
【００７９】
なお、シート２０β側でもシート２０α側で嵌め込んだ方法と同様に嵌め込み、シート２０α側に折り込んだ部分９０ｄ１をシート２０とカード５０αの間に挟み込めばよい。また、先述したように、名刺の場合には、左上隅に社名や役職といった重要な情報が表示されていることが多いので、そのような情報が隠れないように、包囲する部分は、上述したようにカード５０の右上であることが好ましい。
【００８０】
［補助シート］
また例えば、図２３に示すように、カードホルダ１０にあらかじめ補助シート５３を保持させておいてもよい。ここで、図２３は、あらかじめ補助シート５３を保持させた状態の本実施形態に係るカードホルダ１０を例示する図である。先述したように、帯部３０を用いてカード５０を保持するときには、内切目３１より挿入したカード５０の一部をさらに外切目４１に反対側から挿入する必要がある。補助シート５３は、このようなカード５０を嵌め込む動作を完了した状態でカードホルダ１０に保持されている。このように備えられた補助シート５３に接するようにカード５０を嵌め込むと、内切目３１に挿入したときにカード５０がシート２０の反対側へ抜けることがない。すなわち、シート２０の反対側から外切目４１に挿入するという動作を省くことができる。よって、より簡単にカード５０を嵌めることが可能なカードホルダ１０とすることができるという効果を得られる。なお、補助シート５３の素材については、カード５０が入るスペースがなくならない程度の厚さのものであることが好ましい。そして、例えば、厚みの薄い紙やセロファンなどが適している。
【００８１】
［補強ポイント］
また、一般的に名刺は、一度カードホルダに収納すると、着脱を繰り返すことはあまりない。特に、本発明に係るカードホルダは、カードを保持している状態で名刺に書かれている情報が見えるので、なおさらカードの着脱を繰り返すことは少ない。しかしながら、着脱を必要とする場面も考えられる。例えば、裏面に書かれている情報を見たいときや、保持していたカードが不要になったときなどが考えられる。このような着脱が頻繁に行われると、屈曲可能な紙をシートとしているときには、着脱の負担に耐えることができずに切目の端が裂けてしまう虞がある。そこで、切目周辺に補強材を設置すると、より強度の高いカードホルダとすることができる。補強材の材料としては、プラスチック製のテープなど、種々のものが考えられる。また、補強するポイントとしては、切目の端部や周辺部などが最も負荷が掛かるところなので、そのような場所に補強材を備えることが好ましい。
【００８２】
ただし、カードの入れ替えが頻繁でない用途等の場合には、カードホルダに補強材を設置する必要はない。また、このような場合には、カードホルダを構成するシートの材質を低強度の紙などとすることで、コストダウンを図ることも可能である。
【００８３】
以上から、本発明に係るカードホルダは、カードを着脱するのに容易であって、低コスト及び低労力で、表裏同時にカードを保持できる新しいカードホルダとなっている。本発明に係るカードホルダは、表裏同時にカードを保持できることから、カード類の収容効率が非常に高いという特性を有している。このことは、少ないカードホルダで多くのカード類を収容できることを示しており、コスト面や環境面で優れている。
【００８４】
また、本発明に係るカードホルダは、様々なサイズのカード類に対応可能である。
【００８５】
さらに、本発明に係るカードホルダは、見開き１ページにメモ欄とカード保持部を並べて配置することによって、１ページで個人の情報を把握することができるとともに、裏面においても略同位置にてメモ欄と名刺保持部を配置することができるようになっている。すなわち、一定の位置に一定の情報が配置されるように構成されていることから、見た目が整っており、情報が把握し易いという効果を奏する。
【００８６】
なお、本発明に係るカードホルダについては、１枚ごとのシートとして販売等してもよいし、複数のシートを束状で販売等してもよいし、複数のシートを製本してノート状で販売等してもよい。つまり、本発明に係るカードホルダは、様々な形態を取ることが可能である。
【００８７】
また、以上で例示した変形形態については、それらの構成全てを備えている必要はなく、各々の変形形態を単独で、あるいは組み合わせて構成した形態も、本発明に含まれることは当然である。
【００８８】
さらに、本明細書では、カードホルダに対してカードを嵌め込む際における種々の嵌め込み方法を例示したが、上述した種々の嵌め込み方法は一つの例示であり、本発明に係るカードホルダの使用方法を限定するものではない。本発明に係るカードホルダは、カードホルダやカードに採用された構成や、材質等の性質、使用態様などに応じて、様々な使用方法を採用することが可能である。
【符号の説明】
【００８９】
１０  カードホルダ、２０  シート、２０α  シートの表側、２０β  シートの裏側、３０，３０ａ，３０ｂ，３０ｃ，３０ｄ，３０ｅ，３０ｆ  帯部、３１，３１ａ，３１ｂ，３１ｃ，３１ｄ，３１ｅ，３１ｆ  内切目、４０，４０ａ，４０ｂ，４０ｃ，４０ｄ，４０ｅ，４０ｆ  ポケット部、４１，４１ａ，４１ｂ，４１ｃ，４１ｄ，４１ｅ，４１ｆ  外切目、５０  カード、５０α  （シート２０α側に保持する）カード、５０β  （シート２０β側に保持する）カード、５１，５２  異形カード、５３  補助シート、６０  メモ欄、７１，７１ｃ１，７１ｃ２，７１ｄ１，７１ｄ２  適応切目、８１  縁切目、８２  屈曲点、８３，８３ａ，８３ｂ，８３ｃ，８３ｄ  端点、９０，９０ｃ，９０ｄ  包囲部、９０ｃ１，９０ｄ１  はみ出し部分、９１，９１ｃ，９１ｄ  折切目。
【図１】
2013129143.tif 000003
【図２】
2013129143.tif 000004
【図３】
2013129143.tif 000005
【図４】
2013129143.tif 000006
【図５】
2013129143.tif 000007
【図６】
2013129143.tif 000008
【図７】
2013129143.tif 000009
【図８】
2013129143.tif 000010
【図９】
2013129143.tif 000011
【図１０】
2013129143.tif 000012
【図１１】
2013129143.tif 000013
【図１２】
2013129143.tif 000014
【図１３】
2013129143.tif 000015
【図１４】
2013129143.tif 000016
【図１５】
2013129143.tif 000017
【図１６】
2013129143.tif 000018
【図１７】
2013129143.tif 000019
【図１８】
2013129143.tif 000020
【図１９】
2013129143.tif 000021
【図２０】
2013129143.tif 000022
【図２１】
2013129143.tif 000023
【図２２】
2013129143.tif 000024
【図２３】
2013129143.tif 000025